(57)【要約】      （修正有）【課題】残水を確実に排出することができる吐水装置を提供する。【解決手段】吐水装置は、感温ばね４４（温度検出部）によって流入路１０Ａから流入する湯水の温度を検出する。切替部４０は、感温ばね４４の検出結果に基づいて、湯水の温度が設定温度以上である場合には流入路１０Ａと吐出路２０Ａとを連通させた第１の連通状態に切り替え、設定温度未満である場合には流入路１０Ａと排出路３０Ａとを連通させた第２の連通状態に切り替える。エゼクタ部５０は、排出路３０Ａを流通する湯水を駆動流体とする形態のエゼクタ機構を有している。エゼクタ部５０の吸引口５０Ｂには、吐出路２０Ａから分岐するとともに開閉部７０によって開閉される連絡路６０Ａが接続されている。【選択図】図２
2020130319.tif 000002
【特許請求の範囲】
【請求項１】
湯水が流入する流入路が形成された流入部と、
湯水を吐出する吐出口と連通する吐出路が形成された吐出部と、
湯水を排出する排出口と連通する排出路が形成された排出部と、
湯水の温度を検出する温度検出部を有し、前記流入路、前記吐出路、及び前記排出路がそれぞれ接続されているとともに、前記温度検出部により検出された湯水の温度が予め設定された温度以上である場合には前記流入路と前記吐出路とを連通させた第１の連通状態に切り替え、前記温度検出部により検出された湯水の温度が前記設定された温度未満である場合には前記流入路と前記排出路とを連通させた第２の連通状態に切り替える切替部と、
前記排出路を形成するとともに前記排出路に開口する吸引口が形成されており、前記排出路を流通する湯水を駆動流体とする形態のエゼクタ機構を有するエゼクタ部と、
前記吐出路から分岐して形成されるとともに、一端が前記吸引口に接続されて前記排出路に連通する連絡路が形成された連絡部と、
前記連絡路を開閉する開閉部と、
を備えている吐水装置。
【請求項２】
前記温度検出部は、湯水の温度に応じて付勢力の大きさが変化する感温ばねであり、
前記切替部は、前記感温ばねの付勢力の大きさの変化によって前記第１の連通状態と前記第２の連通状態とを切り替える請求項１に記載の吐水装置。
【請求項３】
前記開閉部は、前記吐出路を流通する湯水の水圧が閉弁方向に作用する形態の受圧面を有した弁体部材と、前記受圧面が受ける水圧による付勢力よりも小さい付勢力を前記弁体部材の開弁方向に作用させる付勢部材とを有している請求項１又は請求項２に記載の吐水装置。
【請求項４】
前記吐出路を形成するとともに前記吐出路に開口する第２吸引口が形成されており、前記吐出路を流通する湯水を駆動流体とする形態のエゼクタ機構を有する第２エゼクタ部を備えている請求項１から請求項３までのいずれか一項に記載の吐水装置。
【発明の詳細な説明】
【技術分野】
【０００１】
本発明は吐水装置に関する。
【背景技術】
【０００２】
特許文献１は、従来の吐水装置を開示している。この吐水装置は、湯水混合水栓と、湯水混合水栓の混合水出口に一端が接続されたシャワーホースと、シャワーホースの他端に接続されたシャワーヘッドと、シャワーホースの中途部に配置された冷水排出装置とを備えている。冷水排出装置は、湯水の温度を感知する部材の付勢力により可動弁体を駆動する。冷水排出装置は、湯水混合水栓から供給された湯水の温度が所定の温度以上である場合には、混合水をシャワーヘッド側に流出させる。一方、所定の温度以下の湯水、例えば、上流に滞留していた冷えた湯水（初期冷水）が供給された場合、冷水排出装置は、可動弁体を駆動して冷水排出側の経路を開放して排出する。また、冷水排出装置は残水排出機能部を有している。残水排出機能部は、湯水混合水栓からの混合水の供給が停止した場合には残水排出側の経路を開放し、冷水排出装置よりも下流側に滞留している残水を排出することができる。すなわち、この吐水装置は、上流側の冷えた湯水（初期冷水）を温度検出に基づいて排出し、下流側の残水をシャワー浴後に残水排出機能部から排出する。これにより、この吐水装置は、日々最初にシャワー浴を行う場合に、いきなりシャワーヘッドから吐水させたとしても冷水が吐出されない、としている。
【先行技術文献】
【特許文献】
【０００３】
【特許文献１】特開２００４−２８３４５５号公報
【発明の概要】
【発明が解決しようとする課題】
【０００４】
特許文献１において、冷水排出装置よりも下流側の残水は水頭圧を利用して排出される。この場合、シャワーホースが冷水排出装置よりも下方に弛んでいると、残水を排出し切ることは困難である。
【０００５】
本発明は、上記従来の実情に鑑みてなされたものであって、残水を確実に排出することができる吐水装置を提供することを解決すべき課題としている。
【課題を解決するための手段】
【０００６】
本発明の吐水装置は、
湯水が流入する流入路が形成された流入部と、
湯水を吐出する吐出口と連通する吐出路が形成された吐出部と、
湯水を排出する排出口と連通する排出路が形成された排出部と、
湯水の温度を検出する温度検出部を有し、前記流入路、前記吐出路、及び前記排出路がそれぞれ接続されているとともに、前記温度検出部により検出された湯水の温度が予め設定された温度以上である場合には前記流入路と前記吐出路とを連通させた第１の連通状態に切り替え、前記温度検出部により検出された湯水の温度が前記設定された温度未満である場合には前記流入路と前記排出路とを連通させた第２の連通状態に切り替える切替部と、
前記排出路を形成するとともに前記排出路に開口する吸引口が形成されており、前記排出路を流通する湯水を駆動流体とする形態のエゼクタ機構を有するエゼクタ部と、
前記吐出路から分岐して形成されるとともに、一端が前記吸引口に接続されて前記排出路に連通する連絡路が形成された連絡部と、
前記連絡路を開閉する開閉部と、
を備えている。
【０００７】
吐水装置は、切替部よりも上流側の初期冷水は、温度検出部の検出結果に基づく切替部の連通状態の切り替えによって排出路を流通して排出される。このとき、排出路を流通する湯水を駆動流体とするエゼクタ機構の作用によって、吐出路内の残水が排出路内に吸引されて排出される。このため、吐水装置は、水頭圧では排出不能な残水も排出することができる。
【０００８】
したがって、本発明の吐水装置は、残水を確実に排出することができる。
【図面の簡単な説明】
【０００９】
【図１】実施例１に係る吐水装置の概略ブロック図である。
【図２】実施例１に係る吐水装置の切替部を示す断面図である。
【図３】実施例１に係る吐水装置のエゼクタ部を示す斜視断面図である。
【図４】実施例１に係る吐水装置の開閉部を示す斜視断面図である。
【図５】参考例１に係る吐水装置の概略ブロック図である。
【図６】参考例１に係る吐水装置の切替部を示す断面図である。
【図７】参考例２に係る吐水装置の概略ブロック図である。
【図８】参考例２に係る吐水装置の切替部を示す断面図である。
【発明を実施するための形態】
【００１０】
本発明における好ましい実施の形態を説明する。
【００１１】
本発明の吐水装置において、温度検出部は、湯水の温度に応じて付勢力の大きさが変化する感温ばねであり得る。そして、切替部は、感温ばねの付勢力の大きさの変化によって第１の連通状態と第２の連通状態とを切り替え得る。この場合、温度変化に応じた連通状態の切り替えを、簡易な構成により実現することができる。
【００１２】
本発明の吐水装置において、開閉部は、吐出路を流通する湯水の水圧が閉弁方向に作用する形態の受圧面を有した弁体部材と、受圧面が受ける水圧による付勢力よりも小さい付勢力を弁体部材の開弁方向に作用させる付勢部材とを有し得る。この場合、吐出路を流通する湯水の有無に応じた連絡路の開閉を、簡易な構成により実現することができる。
【００１３】
本発明の吐水装置は、吐出路を形成するとともに吐出路に開口する第２吸引口が形成されており、吐出路を流通する湯水を駆動流体とする形態のエゼクタ機構を有する第２エゼクタ部を備え得る。この場合、排出路内の湯水の流通の有無に関わらず、吐出路内の残水を排出することができる。
【００１４】
次に、本発明の吐水装置を具体化した実施例１について、図面を参照しつつ説明する。
【００１５】
＜実施例１＞
実施例１の吐水装置１は、湯水混合弁２によって混合される湯水を吐止水弁３の操作によってシャワーヘッド４の複数の散水口（吐出口）から吐出するシャワーユニットである。湯水混合弁２は図示しない給湯源及び給水源からの配管が接続されており、湯及び水が供給される。湯水混合弁２は、湯と水とを操作部５の操作によって所定比率で混合させることによって所望の温度Ｔ１（第１の設定温度）の湯水とすることができる温度調整機能付き混合弁である。湯水混合弁２の構成は特に限定されず、例えば、既知の構成のものを適宜採用することができる。吐止水弁３は、湯水混合弁２において混合された湯水の吐水操作、及び止水操作を行う。吐止水弁３もまた、その構成は特に限定されず、例えば、既知の構成のものを適宜採用することができる。
【００１６】
シャワーヘッド４は手持ち式のシャワーヘッドであり、図示しないシャワーホースによって後述する吐出部２０と接続されている。シャワーヘッド４には、本発明に係る吐出口としての複数の散水口が形成されている。これにより、シャワーヘッド４は、シャワーホースを介して供給される湯水をシャワー状に吐出する。
【００１７】
吐水装置１は、図１及び図２に示すように、流入部１０、吐出部２０、排出部３０、切替部４０、エゼクタ部５０、連絡部６０、及び開閉部７０を備えている。流入部１０は、湯水が流入する流入路１０Ａを形成している。流入路１０Ａには、湯水混合弁２によって混合された湯水が吐止水弁３を経て供給される。実施例１において、流入部１０は流入部本体１１を有している。流入部本体１１は内部に流入路１０Ａを形成した筒状をなしている。流入部本体１１は、後述する切替部本体４１と一体的に形成されている。
【００１８】
図２に示すように、吐出部２０は吐出路２０Ａを形成している。吐出路２０Ａは、湯水を吐出する吐出口であるシャワーヘッド４の散水口と連通している。実施例１において、吐出部２０は吐出部本体２１を有している。吐出部本体２１は、内部にＬ字状の空間を形成したＬ字筒状をなして形成されている。吐出部本体２１の上流側の一端は、切替部４０の後述する切替部本体４１に連結されている。吐出部本体２１の下流側の一端にはシャワーホース（図示せず）が接続されている。図２に示すように、吐出部本体２１は、上流側部２２と下流側部２３とが略直角に接続された形状をなしている。上流側部２２と下流側部２３とは接続部２４によって連結されている。接続部２４は、上流側部２２よりも拡径された筒状をなしており、上流側部２２と略同軸上に配置されている。下流側部２３は、接続部２４の周壁に開口する形態で接続部２４に連結されている。接続部２４の中心軸の下流端には開口部２４Ａが形成されている。開口部２４Ａは、後述する連絡路６０Ａの一端が接続されている。
【００１９】
図２に示すように、排出部３０は排出路３０Ａを形成している。排出路３０Ａは、湯水を排出する排出口（図示せず）と連通している。実施例１において、排出部３０は排出部本体３１を有している。排出部本体３１は、内部にＬ字状の排出路３０Ａを形成したＬ字筒状をなして形成されている。排出部本体３１の上流側の一端は、切替部４０の後述する切替部本体４１に連結されている。排出部本体３１の下流側の一端は排出口（図示せず）に連通している。図２に示すように、排出部本体３１は、上流側部３２と下流側部３３とが略直角に屈曲した形状をなしている。上流側部３２と下流側部３３とは下流側部３３が上流側部３２の周壁に開口する形態で連結されている。下流側部３３には、後述するエゼクタ部５０が設けられている。
【００２０】
切替部４０は、流入路１０Ａと吐出路２０Ａとを連通させた第１の連通状態と、流入路１０Ａと排出路３０Ａとを連通させた第２の連通状態との２つの連通状態に切り替える。実施例１において、切替部４０は、図２に示すように、切替部本体４１と、弁体４２と、バイアスばね４３と、感温ばね４４（本発明に係る温度検出部として例示する）とを有して構成されている。切替部本体４１は円筒状に形成されており、内部に収納空間４１Ａを形成している。収納空間４１Ａには、弁体４２、バイアスばね４３、及び感温ばね４４が収納されている。収納空間４１Ａには、流入路１０Ａ、吐出路２０Ａ、及び排出路３０Ａがそれぞれ接続されている。
【００２１】
図２に示すように、切替部本体４１の軸方向の両端には開口部４１Ｂ，４１Ｃが形成されている。開口部４１Ｂ，４１Ｃのうち、一方の開口部４１Ｂは吐出路２０Ａと連通しており、他方の開口部４１Ｃは後述する蓋部材４５によって閉塞されている。切替部本体４１の周壁には２つの開口部４１Ｄ，４１Ｅが形成されている。開口部４１Ｄ，４１Ｅは、切替部本体４１の軸方向に離間して形成されている。開口部４１Ｄ，４１Ｅのうち、開口部４１Ｄは、切替部本体４１の開口部４１Ｂが形成された端部寄りに形成されており、流入路１０Ａと連通している。開口部４１Ｅは、切替部本体４１の開口部４１Ｃが形成された端部寄りに形成されており、排出路３０Ａと連通している。
【００２２】
蓋部材４５は、一端が開口する有底筒状に形成されている。蓋部材４５は、開口部４１Ｃに螺合により嵌め込まれている。蓋部材４５の開口端には弁体４２が当接する弁座面４５Ａが形成されている。蓋部材４５の底壁には挿通孔４５Ｂが形成されている。蓋部材４５の底壁側の端部には、パッキン４６及びガイドリング４７が嵌め込まれている。パッキン４６及びガイドリング４７にはそれぞれ貫通孔が形成されている。蓋部材４５の底壁、パッキン４６、及びガイドリング４７には、後述するガイドロッド４８が挿通されている。蓋部材４５の周壁には、蓋部材４５の内側空間と排出路３０Ａとを連通する連通口４５Ｃが複数形成されている。蓋部材４５の両端部の外周面にはそれぞれＯリングが嵌め込まれており、切替部本体４１の内周面との間を水密に封止している。
【００２３】
図２に示すように、弁体４２は、一方の端部側が拡径された円柱状に形成されている。弁体４２は、切替部本体４１と略同軸となる形態で、軸方向に移動自在に収納空間４１Ａに収納されている。弁体４２は、切替部本体４１内を開口部４１Ｂが形成された端部側に移動することで、開口部４１Ｂの開口周縁に形成された弁座面４１Ｆに当接し、その反対方向に移動することで蓋部材４５の開口端に形成された弁座面４５Ａに当接する。詳細には、弁体４２の両端部の外周面にはそれぞれＯリングが嵌め込まれている。弁体４２は、これらＯリングを介して各弁座面４１Ｆ，４５Ａに当接することで、収納空間４１Ａと、吐出路２０Ａ及び排出路３０Ａの一方との連通を遮断するとともに、収納空間４１Ａと、吐出路２０Ａ及び排出路３０Ａの他方との連通を確保する。弁体４２にはガイドロッド４８の一端が連結されている。ガイドロッド４８は弁体４２の軸方向の移動を案内する。具体的には、ガイドロッド４８は、その他端が蓋部材４５の底壁に形成された挿通孔４５Ｂと、パッキン４６及びガイドリング４７とにそれぞれ挿通されており、これらに沿って摺動することで弁体４２の移動をガイドする。
【００２４】
バイアスばね４３及び感温ばね４４は、それぞれ圧縮コイルばねである。バイアスばね４３及び感温ばね４４は、弁体４２に対して互いに対向する方向の付勢力をそれぞれ付与している。具体的には、バイアスばね４３は、弁体４２と蓋部材４５との間に配置されており、弁体４２を開口部４１Ｂ側の弁座面４１Ｆに当接させる方向の付勢力を付与する。感温ばね４４は、弁体４２と切替部本体４１の開口部４１Ｂ側の端部の内壁との間に配置されており、弁体４２を蓋部材４５の弁座面４５Ａに当接させる方向の付勢力を付与する。すなわち、バイアスばね４３及び感温ばね４４は、弁体４２に対して、軸方向で互いに対向する方向の付勢力をそれぞれ付与している。感温ばね４４は温度変化に応じて付勢力の大きさが変化する。具体的には、実施例１の感温ばね４４は、ＳＭＡ（Ｓｈａｐｅ  Ｍｅｍｏｒｙ  Ａｌｌｏｙ、形状記憶合金）製であり、所定の温度範囲において、温度が高くなるにつれて付勢力の大きさも大きくなる性質をもつ。
【００２５】
上述のように、切替部４０は、流入路１０Ａと吐出路２０Ａとを連通させた第１の連通状態と、流入路１０Ａと排出路３０Ａとを連通させた第２の連通状態との２つの連通状態に切り替える。実施例１の場合、切替部４０は、温度変化による感温ばね４４の付勢力の大きさの変化によって、第１の連通状態と第２の連通状態とを切り替える。具体的には、流入路１０Ａから収納空間４１Ａ内に流入した湯水の温度が予め設定された温度Ｔ２（第２の設定温度）以上である場合、切替部４０では、バイアスばね４３等による弁体４２を第２の連通状態の位置に移動させようとする方向の付勢力よりも、感温ばね４４等による弁体４２を第１の連通状態の位置に移動させようとする方向の付勢力が大きくなる。これにより、弁体４２が弁座面４１Ｆから離間するとともに、弁座面４５Ａに当接する。すると、排出路３０Ａが閉塞されるとともに、吐出路２０Ａが開放される。
【００２６】
一方、流入路１０Ａから収納空間４１Ａ内に流入した湯水の温度が設定温度Ｔ２未満である場合、切替部４０では、バイアスばね４３等による弁体４２を第２の連通状態の位置に移動させようとする方向の付勢力よりも、感温ばね４４等による弁体４２を第１の連通状態の位置に移動させようとする方向の付勢力が小さくなる。これにより、弁体４２が弁座面４５Ａから離間するとともに、弁座面４１Ｆに当接する。すると、吐出路２０Ａが閉塞されるとともに、排出路３０Ａが開放される。
【００２７】
図２に示すように、実施例１では、切替部４０には予圧操作部４５Ｄが設けられている。予圧操作部４５Ｄは第２の設定温度Ｔ２の変更操作を行うための操作部である。具体的には、予圧操作部４５Ｄは、蓋部材４５の外周方向に突出して設けられている。予圧操作部４５Ｄは、ガイドロッド４８周りに回動操作されることによって蓋部材４５を回動させ、蓋部材４５の切替部本体４１へのねじ込み量を変化させ、バイアスばね４３の予圧の大きさを変更することで設定温度Ｔ２を変更する。すなわち、バイアスばね４３の付勢力の大きさを変更すると、感温ばね４４の付勢力とのバランスが変化し、第１の連通状態と第２の連通状態とが切り替わる温度である第２の設定温度Ｔ２が変化する。
なお、本発明においては、予圧操作部４５Ｄを設けることは必須ではない。また、設定温度Ｔ２を変更するには、例えば、付勢力の大きさの異なるバイアスばねに変更する等、他の形態によるものであってもよい。
【００２８】
図２及び図３に示すように、エゼクタ部５０は、排出路３０Ａを形成している。エゼクタ部５０は、排出路３０Ａを流通する湯水を駆動流体とする形態のエゼクタ機構を有している。実施例１において、エゼクタ部５０は排出部３０に一体に設けられている。図２に示すように、エゼクタ部５０は、上流側部３２と下流側部３３とを有してＬ字筒状をなす排出部本体３１において、下流側部３３に設けられている。エゼクタ部５０は、排出路３０Ａの上流から下流に向かって、絞り流路５０Ａ、吸引口５０Ｂ、及び拡開流路５０Ｃを有して構成されている。絞り流路５０Ａは、排出路３０Ａを形成する排出部３０の内周壁を上流から下流に向かってラッパの先端のような曲面状の内周面形状をなす形態で狭くして形成されている。吸引口５０Ｂは、絞り流路５０Ａの下流側に開口して排出路３０Ａに連通している。吸引口５０Ｂには後述する連絡路６０Ａが接続されている。拡開流路５０Ｃは、排出路３０Ａを形成する排出部３０の内周壁を上流から下流に向かって断面直線状に徐々に拡径させる形態で広くして形成されている。このような形態のエゼクタ部５０では、絞り流路５０Ａを流通する湯水の速度が高められることによって湯水の圧力を低下させ、吸引口５０Ｂから外部の流体を吸引させつつ下流側へ流出する。
【００２９】
連絡部６０は連絡路６０Ａを形成する。連絡路６０Ａは、吐出路２０Ａから分岐して形成されるとともに、一端がエゼクタ部５０の吸引口５０Ｂに接続されて排出路３０Ａに連通している。連絡部６０は、樹脂ホースや配管部材等を有して構成されていることができる。実施例１において、連絡路６０Ａの吐出路２０Ａ側の一端は、Ｌ字管状をなす吐出部本体２１の接続部２４に形成された開口部２４Ａから分岐して形成されている。開口部２４Ａは、吐出部本体２１の上流側部２２の中心軸の延長線上に開口して形成されている。
【００３０】
開閉部７０は連絡路６０Ａを開閉する。実施例１の場合、開閉部７０は、吐出路２０Ａを湯水が流通しているときには連絡路６０Ａを閉塞し、吐出路２０Ａの湯水の流通が停止したときには連絡路６０Ａを開放する。このように、開閉部７０は吐出路２０Ａを流通する湯水の有無に応じて連絡路６０Ａを開閉する。図２及び図４に示すように、開閉部７０は、弁体部材７１、付勢部材７２、及び弁座部材７３を有して構成されている。
【００３１】
弁体部材７１は略円板状に形成された本体部７１Ａと、この本体部７１Ａの一面から突出して設けられた軸部７１Ｂとを有している。弁体部材７１は、本体部７１Ａ及び軸部７１Ｂの中心軸が吐出部本体２１の接続部２４と略同軸となる形態で、接続部２４内の空間（吐出路２０Ａ）に収納されている。弁体部材７１は、接続部２４内の空間を軸方向に移動自在に収納されている。弁体部材７１の本体部７１Ａは、一方の面が当接面７１Ｃとされ、他方の面が受圧面７１Ｄとされている。弁体部材７１は、接続部２４内の空間を軸方向下流側に移動することで、当接面７１Ｃが弁座部材７３の後述する弁座面７３Ｅに当接して連絡路６０Ａを閉塞する。図２に示すように、受圧面７１Ｄは、吐出部本体２１の上流側部２２から流通する湯水を略直交方向に受けるようにされている。弁体部材７１は、吐出路２０Ａ内を流通する湯水の圧力を受圧面７１Ｄが受けることで、閉弁方向に付勢されて移動する。軸部７１Ｂは、本体部７１Ａの当接面７１Ｃ側の面から突出して形成されている。軸部７１Ｂは、弁座部材７３の後述する案内孔７３Ｃに挿入されている。弁体部材７１は、軸部７１Ｂが案内孔７３Ｃに沿って摺動することで、開閉の際の移動を案内される。
【００３２】
付勢部材７２は、弁体部材７１と弁座部材７３との間に配置され、弁体部材７１を開弁方向に付勢する付勢力を付与する。付勢部材７２の付勢力は、弁体部材７１の受圧面７１Ｄが受ける湯水の圧力による力と比較して小さい力である。また、弁体部材７１の受圧面７１Ｄは、吐出部本体２１の上流側部２２から流通する湯水を略直交方向に受けるようにされていることから、水圧（静圧）による力のみならず水勢（動圧）による力も作用する。このため、弁体部材７１は、吐出路２０Ａを流通する湯水の有無によって確実に動作することができる。
【００３３】
弁座部材７３は、接続部２４の開口部２４Ａに挿入されて固定されている。連絡部６０は、この弁座部材７３を介して吐出部２０に接続される。実施例１では、連絡路６０Ａは、このような形態で連絡部６０が吐出部２０に接続されていることによって吐出路２０Ａから分岐して形成されている。弁座部材７３は、内筒部７３Ａ及び外筒部７３Ｂを有する２重管状に形成されている。内筒部７３Ａは、中心に案内孔７３Ｃが貫通する円筒状に形成されている。上述のように、案内孔７３Ｃには弁体部材７１の軸部７１Ｂが軸方向に摺動自在に挿入されている。外筒部７３Ｂは内筒部７３Ａよりも大きな径の筒状に形成されている。外筒部７３Ｂと内筒部７３Ａとの間には連通路７３Ｄが形成されている。連通路７３Ｄは、吐出路２０Ａと連絡路６０Ａとを連通する。外筒部７３Ｂの吐出路２０Ａ側の端部は弁座面７３Ｅとされている。開閉部７０は、この弁座面７３Ｅに弁体部材７１の当接面７１Ｃが当接することで、吐出路２０Ａと連絡路６０Ａとの連通路７３Ｄを介した連通を遮断する。
【００３４】
実施例１に係る吐水装置１は、更に、第２エゼクタ部８０を備えている。図２に示すように、第２エゼクタ部８０は開閉部７０の下流側となる吐出部２０の下流側部２３に吐出部２０に一体に設けられており、吐出路２０Ａを形成する。第２エゼクタ部８０は、吐出路２０Ａを流通する湯水を駆動流体とする形態のエゼクタ機構を有している。第２エゼクタ部８０は、絞り流路８０Ａ、第２吸引口８０Ｂ、及び拡開流路８０Ｃを有して構成されている。絞り流路８０Ａは、吐出路２０Ａを形成する吐出部２０の内周壁を狭くして形成されている。第２吸引口８０Ｂは、絞り流路８０Ａの下流側に開口して吐出路２０Ａに連通している。第２吸引口８０Ｂには、排出口と連通する第２連絡路６１Ａが接続されている。本実施例の場合、第２連絡路６１Ａは排出路３０Ａを介して排出口と連通している。拡開流路８０Ｃは、吐出路２０Ａを形成する吐出部２０の内周壁を上流から下流に向かって断面直線状に徐々に拡径させる形態で広くして形成されている。このような形態の第２エゼクタ部８０では、絞り流路８０Ａを流通する湯水の速度が高められることによって湯水の圧力を低下させ、第２吸引口８０Ｂから空気を取り入れて湯水に混合することができる。第２エゼクタ部８０は、湯水の流通が停止した際には、水頭圧によって湯水を第２吸引口８０Ｂから排出することができる。第２エゼクタ部８０は、湯水が流通している際には圧力低下が生じているため、湯水が第２吸引口８０Ｂから漏れ出してしまうおそれがない。
【００３５】
次に、上記のように構成された実施例１の吐水装置１の作用について説明する。
吐水装置１は、吐止水弁３が吐水操作されると、湯水混合弁２からの湯水が流入部１０の流入路１０Ａを流通して切替部４０内に流入する。
【００３６】
このとき、切替部４０は、湯水の温度が設定温度Ｔ２以上である場合には流入路１０Ａと吐出路２０Ａとを連通させた第１の連通状態に切り替え、設定温度Ｔ２未満である場合には流入路１０Ａと排出路３０Ａとを連通させた第２の連通状態に切り替える。実施例１の場合、切替部４０は、温度検出部としての感温ばね４４の温度変化に基づいて第１の連通状態と第２の連通状態との連通状態の切り替えを行う。具体的には、切替部４０では、感温ばね４４の付勢力とバイアスばね４３の付勢力が弁体４２に対してそれぞれ反対方向に作用している。感温ばね４４は、所定の温度範囲において、温度が高くなるにつれて付勢力の大きさも大きくなるＳＭＡばねである。切替部４０は、内部に湯水が流入して感温ばね４４に温度変化が生じると、感温ばね４４の付勢力の大きさが変化してバイアスばね４３による反対方向の付勢力との力のバランスが変化する。これにより、弁体４２が切替部本体４１内を移動し、流路の連通状態が第１の連通状態又は第２の連通状態に切り替えられる。
【００３７】
例えば、吐水装置１の使用開始初期等、湯水混合弁２や吐止水弁３内等の切替部４０よりも上流側に滞留して時間が経過した湯水は、温度が設定温度Ｔ２未満の冷えた湯水（初期冷水）となっているおそれがある。この場合、切替部４０では、感温ばね４４の付勢力の大きさが小さくなり、バイアスばね４３の付勢力の大きさは相対的に大きくなる。これにより、切替部４０は、流入路１０Ａと排出路３０Ａとを連通させた第２の連通状態に切り替える。すなわち、切替部４０では、弁体４２が弁座面４１Ｆに当接して吐出路２０Ａが閉塞されるとともに、弁体４２が弁座面４５Ａから離間して排出路３０Ａが開放される。これにより、初期冷水は吐出路２０Ａ側から吐出されることなく、排出路３０Ａを経由して排出口から排出される。
【００３８】
その後、切替部４０に流入する湯水の温度が設定温度Ｔ２以上となった場合には、切替部４０では、感温ばね４４の付勢力の大きさが大きくなり、バイアスばね４３の付勢力の大きさが相対的に小さくなる。これにより、切替部４０は、流入路１０Ａと排出路３０Ａとを連通させた第１の連通状態に切り替える。すなわち、切替部４０では、弁体４２が弁座面４５Ａに当接して排出路３０Ａが閉塞されるとともに、弁体４２が弁座面４１Ｆから離間して吐出路２０Ａが開放される。これにより、適温の湯水が吐出路２０Ａ側から吐出される。
【００３９】
また、吐出路２０Ａには連絡路６０Ａが分岐して形成されているが、連絡路６０Ａは開閉部７０によって開閉される。詳細には、実施例１の吐水装置１において、開閉部７０は、吐出路２０Ａを湯水が流通しているときには、その水圧を閉弁方向に受ける受圧面７１Ｄを有する弁体部材７１によって連絡路６０Ａを閉塞する。これにより、吐水装置１は、湯水を連絡路６０Ａに無駄に流通させることなく吐出路２０Ａを流通させることができる。
【００４０】
また、吐水装置１は、排出路３０Ａから湯水を排出している時には、エゼクタ部５０においてこの湯水を駆動流体とするエゼクタ機能が作用する。エゼクタ部５０は、排出路３０Ａを形成するとともに排出路３０Ａに開口する吸引口５０Ｂが形成されている。吸引口５０Ｂには連絡路６０Ａの一端が接続されている。連絡路６０Ａは、吐出路２０Ａから分岐して形成されている。連絡路６０Ａは、開閉部７０によって開閉されるが、吐出路２０Ａを湯水が流通していない場合には開放されている。詳細には、実施例１の吐水装置１において、開閉部７０は、吐出路２０Ａを湯水が流通しているときには弁体部材７１の受圧面７１Ｄが水圧を受けることによって連絡路６０Ａを閉塞する。しかし、開閉部７０は、吐出路２０Ａを湯水が流通していないときには、弁体部材７１が付勢部材７２によって開弁方向に付勢されていることにより連絡路６０Ａを開放している。これにより、シャワーヘッド４やシャワーホース等の吐出路２０Ａ以降に滞留した湯水（残水）が連絡路６０Ａを経由して吸引口５０Ｂから吸引される。この残水は、排出路３０Ａを流通する湯水とともに排出される。この場合、吐出路２０Ａ内の残水の排出は、水頭圧によるものとは異なり、エゼクタ部５０の吸引による吸引力をもって強制的に排出される。このため、シャワーホースの弛みが生じている場合等、吐水装置１よりも下方に残水が滞留していたとしても好適に排出することができる。
【００４１】
吐止水弁３を止水操作して吐水装置１の使用を終了し、流入路１０Ａへの湯水の流入が停止されると、吐出路２０Ａ及び排出路３０Ａの湯水の流通も停止される。実施例１の吐水装置１は、第２エゼクタ部８０を備えていることにより、吐出路２０Ａ内に残留した湯水を排出することができる。具体的には、第２エゼクタ部８０は、吐出路２０Ａを流通する湯水を駆動流体とする形態のエゼクタ機構を有しており、吐出路２０Ａに開口する第２吸引口８０Ｂが形成されている。第２吸引口８０Ｂには、排出口まで延びる第２連絡路６１Ａが接続されている。このため、第２エゼクタ部８０は、吐出路２０Ａ内の湯水を第２吸引口８０Ｂから水頭圧によって排出することができる。第２エゼクタ部８０は、エゼクタ部５０による残水の排出よりも前に吐出路２０Ａ内の残水を排出することができる。このように、吐水装置１は、第２エゼクタ部８０を備えたことによって、エゼクタ部５０による残水の排出の負担を軽減することができるので、残水をより確実に排出される。その結果、シャワーヘッド４から設定温度Ｔ２以下の湯水が吐出されてしまう可能性がより低減される。
【００４２】
このように、吐水装置１は、シャワーヘッド４から湯水を吐出するに際し、吐水装置１の上流側及び下流側に滞留する初期冷水をシャワーヘッド４から吐出させることなく、予め設定された温度Ｔ２以上の湯水のみをシャワーヘッド４から吐出させるように機能することができる。
【００４３】
以上のように、実施例１の吐水装置１は、流入部１０と、吐出部２０と、排出部３０と、切替部４０と、エゼクタ部５０と、連絡部６０と、開閉部７０とを備えている。流入部１０は湯水が流入する流入路１０Ａが形成されている。吐出部２０は、湯水を吐出する吐出口と連通する吐出路２０Ａが形成されている。排出部３０は、湯水を排出する排出口と連通する排出路３０Ａが形成されている。切替部４０は、湯水の温度を検出する温度検出部として感温ばね４４を有している。切替部４０は、流入路１０Ａ、吐出路２０Ａ、及び排出路３０Ａがそれぞれ接続されている。切替部４０は、感温ばね４４により検出された湯水の温度が予め設定された温度Ｔ２以上である場合には、流入路１０Ａと吐出路２０Ａとを連通させた第１の連通状態に切り替える。切替部４０は、感温ばね４４により検出された湯水の温度が予め設定された温度Ｔ２未満である場合には、流入路１０Ａと排出路３０Ａとを連通させた第２の連通状態に切り替える。エゼクタ部５０は、排出路３０Ａを形成するとともに排出路３０Ａに開口する吸引口５０Ｂが形成されている。エゼクタ部５０は、排出路３０Ａを流通する湯水を駆動流体とする形態のエゼクタ機構を有している。連絡部６０は、吐出路２０Ａから分岐して形成されるとともに一端がエゼクタ部５０の吸引口５０Ｂに接続されて排出路３０Ａに連通する連絡路６０Ａが形成されている。開閉部７０は連絡路６０Ａを開閉する。
【００４４】
吐水装置１は、吐出路２０Ａよりも上流側の初期冷水は、温度検出部としての感温ばね４４の検出結果に基づく切替部４０の連通状態の切り替えによって、排出路３０Ａを流通して排出される。このとき、排出路３０Ａを流通する湯水を駆動流体とするエゼクタ機構の作用によって、吐出路２０Ａ内の残水が排出路３０Ａ内に吸引されて排出される。このため、吐水装置１は、水頭圧では排出不能な残水も排出することができる。
【００４５】
したがって、吐水装置１は、残水を確実に排出することができる。
【００４６】
吐水装置１は、温度検出部として、湯水の温度に応じて付勢力の大きさが変化する感温ばね４４を備えている。そして、切替部４０は、感温ばね４４の付勢力の大きさの変化によって第１の連通状態と第２の連通状態とを切り替える。このように、吐水装置１は、温度変化に応じた連通状態の切り替えを、簡易な構成により実現することができる。
【００４７】
吐水装置１は、開閉部７０が、吐出路２０Ａを流通する湯水の水圧が閉弁方向に作用する形態の受圧面７１Ｄを有した弁体部材７１と、受圧面７１Ｄが受ける水圧による付勢力よりも小さい付勢力を弁体部材７１の開弁方向に作用させる付勢部材７２とを有している。このため、吐出路２０Ａを流通する湯水の有無に応じた連絡路６０Ａの開閉を、簡易な構成により実現することができる。
【００４８】
吐水装置１は、吐出路２０Ａを形成するとともに吐出路２０Ａに開口する第２吸引口８０Ｂが形成されており、吐出路２０Ａを流通する湯水を駆動流体とする形態のエゼクタ機構を有する第２エゼクタ部８０を備えている。このため、排出路３０Ａ内に湯水が流通していない場合でも、吐出路２０Ａ内の残水を排出することができる。
【００４９】
吐水装置１において、切替部４０には、第２の設定温度Ｔ２の変更操作を行うための予圧操作部４５Ｄが設けられている。これにより、第２の設定温度Ｔ２を自在に変更することができる。
【００５０】
＜参考例１＞
以下、図５及び図６を参照して、参考例１に係る吐水装置について説明する。参考例１の吐水装置は、第１の設定温度と第２の設定温度とを連動して設定操作を行う操作部を備える点等において実施例１と相違する。参考例１において、実施例１と同等の構成については、同一の符号を付し、詳細な説明を省略する。
【００５１】
参考例１の吐水装置は、以下のとおりである。
１．  第１の設定温度の湯水となるように、給湯源から供給される湯と給水源から供給される水とを混合する湯水混合部と、
吐出口と連通する吐出路が形成された吐出部と、
排出口と連通する排出路が形成された排出部と、
流入する湯水の温度を検出する温度検出部を有し、前記湯水混合部からの湯水が流入する流入路、前記吐出路及び前記排出路がそれぞれ接続されているとともに、前記温度検出部により検出された湯水の温度が第２の設定温度以上である場合には前記流入路と前記吐出路とを連通させた第１の連通状態に切り替え、前記温度検出部により検出された湯水の温度が第２の設定温度未満である場合には前記流入路と前記排出路とを連通させた第２の連通状態に切り替える切替部と、
前記第２の設定温度が前記第１の設定温度よりも低くなるように、前記第２の設定温度を前記第１の設定温度に連動させて設定操作を行う操作部と、
を備えている吐水装置。
２．  前記１．の吐水装置において、
前記第１の設定温度と前記第２の設定温度との差は２℃以上であることができる。
３．  前記１．又は前記２．の吐水装置は、前記第２の設定温度を設定操作する第２操作部を備えていることができる。
４．  前記１．から前記３．までのいずれかの吐水装置は、前記切替部を前記第１の連通状態で保持させる操作を行う保持操作部を備えていることができる。
【００５２】
吐水装置１０１は、実施例１の吐水装置１と同様に、吐止水弁３を操作することによって、湯水混合弁２によって混合される湯水を、吐出口としてのシャワーヘッド４の複数の散水口（図示せず）から吐出するシャワーユニットである。吐止水弁３及びシャワーヘッド４は、それぞれ実施例１と同様の構成のものを用いている。吐止水弁３は吐出路２０Ａに配置されて吐出路２０Ａを開閉する。吐止水弁３にはシャワーヘッド４がシャワーホース（図示せず）を介して連結されている。
【００５３】
図５及び図６に示すように、吐水装置１０１は、湯水混合弁２（湯水混合部）、吐出部２０、排出部３０、切替部４０、及び操作部１０５を備えている。湯水混合弁２は、実施例１と同様の構成であり、湯と水とを混合することによって設定温度Ｔ１の湯水とする。吐出部２０は、吐出口としてのシャワーヘッド４に形成された複数の散水口と連通する吐出路２０Ａを形成している点は実施例１と同様である。しかし、参考例１の吐出部２０は、開閉部７０及び第２エゼクタ部８０が設けられていない点で実施例１の吐出部２０と相違する。排出部３０は、図示しない排出口と連通する排出路３０Ａを形成している点は実施例１の排出部３０と同様である。しかし、参考例１の排出部３０は、エゼクタ部５０が設けられていない点で実施例１の排出部３０と相違する。切替部４０の構成は実施例１と同様である。切替部４０には、流入部１０の流入路１０Ａから湯水混合弁２により混合された湯水が直接流入する。参考例１の切替部４０もまた、実施例１と同様に予圧操作部４５Ｄ（第２操作部）を有している。
【００５４】
操作部１０５は、湯水混合弁２の設定温度Ｔ１の変更操作を行う点は実施例１の操作部５と同様である。これに加えて、参考例１の操作部１０５は、切替部４０による第１の連通状態と第２の連通状態との切り替えを実行する基準となる設定温度Ｔ２の変更操作も行う。具体的には、操作部１０５は、図５及び図６に示すように、連動機構部１０５Ａを有している。連動機構部１０５Ａは、操作部１０５を操作することによって図示しない駆動手段により駆動され、ガイドロッド１４８周りに回動する。連動機構部１０５Ａは、操作部１０５の操作量に応じて切替部４０の予圧操作部４５Ｄを回転操作し、バイアスばね４３の予圧の大きさを変更して感温ばね４４の付勢力とのバランスを変化させる。切替部４０は、実施例１と同様に、バイアスばね４３の予圧の大きさをより小さくすると、より低い温度における感温ばね４４の付勢力の大きさで弁体４２が移動する。これにより、切替部４０はより低い温度で第１の連通状態となり、より低い温度の湯水を吐出路２０Ａに流通させることができる。反対に、切替部４０は、バイアスばね４３の予圧の大きさをより大きくすると、感温ばね４４の付勢力の大きさがより大きくならなければ弁体４２を移動させることができなくなるため、より高い温度の湯水の流入をもって吐出路２０Ａが開放される。操作部１０５は、設定温度Ｔ２が設定温度Ｔ１よりも低くなるように、設定温度Ｔ１及び設定温度Ｔ２を連動させて設定する。参考例１において、設定温度Ｔ１と設定温度Ｔ２との温度差Δｔ１は２℃程度に設定されている。
【００５５】
参考例１の吐水装置１０１は、解除部１０６を備えている。解除部１０６は、予圧操作部４５Ｄの連動機構部１０５Ａとの連動を解除する。参考例１では、解除部１０６を操作することによって、予圧操作部４５Ｄを単独で操作できるようになり、第２の設定温度Ｔ２を単独で設定操作することができるようになる。具体的には、図６に示すように、解除部１０６は連動機構部１０５Ａに設けられており、連動機構部１０５Ａの駆動に伴ってガイドロッド１４８周りを回動する。解除部１０６は、予圧操作部４５Ｄの回動方向に交差する方向にスライド可能に設けられている。解除部１０６は、予圧操作部４５Ｄの回動方向の一方の前面に延出した状態においては、連動機構部１０５Ａの駆動を予圧操作部４５Ｄに伝達し、予圧操作部４５Ｄを連動機構部１０５Ａとともに回動させる。解除部１０６は、予圧操作部４５Ｄの回動方向の一方の前面から退避した状態（図６の２点鎖線の位置にある状態）においては、予圧操作部４５Ｄのみを単独で操作可能になる。
但し、解除部１０６は、設定温度Ｔ１と設定温度Ｔ２との温度差Δｔ１よりも大きな温度差となる方向への設定操作は許容されるが、設定温度差Δｔ１よりも小さくなる方向への設定操作は不能である。
【００５６】
参考例１の吐水装置１０１は保持操作部１０７を備えている。保持操作部１０７は、切替部４０を、流入路１０Ａと吐出路２０Ａとの連通が確保された第２の連通状態で保持するための操作を行う。具体的には、保持操作部１０７は、螺合によって弁体４２に挿入されているガイドロッド１４８を回転させることにより、弁体４２を第１の連通状態となる方向に移動させた状態で保持することができる。参考例１において、保持操作部１０７は、ガイドロッド１４８の弁体４２に連結されている端部とは反対側の端部に設けられた手回しノブである。保持操作部１０７は、ガイドロッド１４８をねじ込む方向に回転させることによって弁体４２を弁座面４５Ａに当接させる方向に移動させる。これにより、第２の連通状態が保持される。
【００５７】
次に、上記のように構成された参考例１の吐水装置１０１の作用効果について説明する。
【００５８】
吐水装置１０１は、操作部１０５を設定操作することにより、湯水混合弁２から吐出する湯水の温度である設定温度Ｔ１と、切替部４０において連通状態が切り替えられる温度である設定温度Ｔ２とが連動して設定される。例えば、湯水混合弁２の設定温度Ｔ１が単独で設定される場合、シャワーヘッド４から吐出したい湯水の温度として設定温度Ｔ１を設定したとしても、Ｔ２＞Ｔ１である限りはシャワーヘッド４から吐出することができない。しかし、操作部１０５によって設定温度Ｔ１及び設定温度Ｔ２の設定操作を連動して行うことによって、設定温度Ｔ１の変化に伴って設定温度Ｔ２も変化するので、所望の設定温度Ｔ１の湯水を確実に吐出することができる。
【００５９】
以上より、参考例１の吐水装置１０１は、湯水混合部としての湯水混合弁２と、操作部１０５と、流入部１０と、吐出部２０と、排出部３０と、切替部４０と、を備えている。湯水混合弁２は、第１の設定温度Ｔ１の湯水となるように、給湯源から供給される湯と給水源から供給される水とを混合する。操作部１０５は、第１の設定温度Ｔ１の設定操作を行う。流入部１０は、湯水混合弁２により混合された湯水が流入する流入路１０Ａが形成されている。吐出部２０は、シャワーヘッド４に形成された吐出口としての複数の散水口と連通する吐出路２０Ａが形成されている。排出部３０は、排出口と連通する排出路３０Ａが形成されている。感温ばね４４は、流入部１０から流入する湯水の温度を検出する。切替部４０は、感温ばね４４により検出された湯水の温度が第２の設定温度Ｔ２以上である場合には、流入路１０Ａと吐出路２０Ａとを連通させた第１の連通状態に切り替える。切替部４０は、感温ばね４４により検出された湯水の温度が第２の設定温度Ｔ２未満である場合には、流入路１０Ａと排出路３０Ａとを連通させた第２の連通状態に切り替える。そして、操作部１０５は、第２の設定温度Ｔ２が第１の設定温度Ｔ１よりも低くなるように、第２の設定温度Ｔ２を第１の設定温度Ｔ１に連動させて設定する。
【００６０】
このような構成により、参考例１の吐水装置１０１は、操作部１０５によって設定した湯水混合弁２の設定温度Ｔ１が、切替部４０の設定温度Ｔ２よりも下回って設定されてしまうことがない。これにより、意図して設定した温度Ｔ１の湯水が排出口から排出されてしまうことを防止し、吐出口であるシャワーヘッド４の散水口から確実に吐出することができる。
【００６１】
吐水装置１０１は、湯水混合弁２による湯水の設定温度である第１の設定温度Ｔ１と、切替部４０による連通状態の切り替えの基準温度である第２の設定温度Ｔ２との差Δｔ１が２℃以上である。このため、温度検出誤差等を許容しつつ、温度Ｔ１の湯水が排出口から排出されてしまうことを確実に防止して、吐出口であるシャワーヘッド４の散水口から確実に吐出することができる。
【００６２】
吐水装置１０１において、切替部４０には、第２の設定温度Ｔ２を設定操作する第２操作部としての予圧操作部４５Ｄが設けられている。これにより、第２の設定温度Ｔ２を単独で自在に変更することができる。
【００６３】
吐水装置１０１は保持操作部１０７を備えている。これにより、切替部４０を流入路１０Ａと吐出路２０Ａとを連通させた第１の連通状態に保持し、冷水を意図的に吐出することができる。
【００６４】
吐水装置１０１は、実施例１と同様の切替部４０を備えたことにより、切替部４０よりも上流側の初期冷水をシャワーヘッド４から吐出させることなく、設定温度Ｔ２以上の湯水のみをシャワーヘッド４から吐出させることができる。
【００６５】
吐水装置１０１は、吐止水弁３を切替部４０よりも下流側に配置している。このため、吐水装置１０１は、吐止水弁３の操作の有無に関わらず、切替部４０によって温度Ｔ２未満の湯水を自動的に排出することができる。これにより、吐水装置１０１は、初期冷水を排出するための待ち時間を必要とすることなく、吐止水弁３の吐水操作後、設定温度Ｔ１の湯水を速やかに吐出することができる。
【００６６】
吐水装置１０１は、温度検出部として、湯水の温度に応じて付勢力の大きさが変化する感温ばね４４を備えている。そして、切替部４０は、感温ばね４４の付勢力の大きさの変化によって第１の連通状態と第２の連通状態とを切り替える。このように、吐水装置１０１は、温度変化に応じた連通状態の切り替えを、簡易な構成により実現することができる。
【００６７】
吐水装置１０１は、設定温度Ｔ１と設定温度Ｔ２との温度差Δｔ１よりも大きな温度差となる方向への設定操作を許容するとともに設定温度差Δｔ１よりも小さくなる方向への設定操作を阻止する形態で、予圧操作部４５Ｄの連動機構部１０５Ａとの連動を解除する解除部１０６を備えている。これにより、第１の設定温度Ｔ１と第２の設定温度Ｔ２との温度差Δｔ１である２℃以上の温度差で設定温度Ｔ２を設定することができる。
【００６８】
＜参考例２＞
以下、図７及び図８を参照して、参考例２に係る吐水装置について説明する。参考例２において、実施例１又は参考例１と同等の構成については、同一の符号を付し、詳細な説明を省略する。
【００６９】
参考例２の吐水装置は、以下のとおりである。
１．  給湯源から供給される湯と給水源から供給される水とを混合する湯水混合部と、
吐出口と連通し前記湯水混合部により混合された湯水が流通する吐出路が形成された吐出部と、
前記吐出路を開閉する開閉部と、
前記給湯源から前記湯水混合部に供給される湯が流通する給湯路、又は、前記湯水混合部と前記開閉部との間の前記吐出路から分岐するとともに排出口と連通する排出路が形成された排出部と、
前記排出路を閉塞した閉塞状態と前記排出路を開放した開放状態との切り替えを行う切替部と、
前記切替部を前記閉塞状態から前記開放状態に切り替える操作を行う切替操作部と、
を備えており、
前記切替部は、湯水の温度を検出する温度検出部を有しており、前記温度検出部により検出された湯水の温度が第３の設定温度以上であり且つ前記切替部が前記開放状態にある場合には、前記閉塞状態に切り替える吐水装置。
２．  前記１．の吐水装置において、
前記湯水混合部は、第１の設定温度の湯水となるように、湯と水とを混合し、
前記第１の設定温度と前記第３の設定温度との差は２℃以上であることができる。
３．  前記１．又は前記２．の吐水装置は、前記第３の設定温度を設定操作する第３操作部を備えていることができる。
【００７０】
吐水装置２０１は、実施例１の吐水装置１と同様に、湯水混合弁２によって混合される湯水を、吐止水弁３を操作することによってシャワーヘッド４の複数の散水口（吐出口）から湯水を吐出するシャワーユニットである。湯水混合弁２、吐止水弁３及びシャワーヘッド４は、それぞれ実施例１と同様の構成のものを用いている。吐止水弁３とシャワーヘッド４とはシャワーホース（図示せず）によって連結されている。
【００７１】
図７及び図８に示すように、吐水装置２０１は、湯水混合弁２（湯水混合部）、吐出部２２０、吐止水弁３（開閉部）、排出部２３０、及び切替部２４０を備えている。湯水混合弁２は、実施例１と同様の構成であり、湯と水とを混合することによって設定温度Ｔ１の湯水とする。湯水混合弁２は、設定温度Ｔ１が操作部５によって設定操作される点も実施例１と同様である。吐出部２２０は、吐出口としてのシャワーヘッド４に形成された複数の散水口と連通する吐出路２２０Ａを形成している。吐出路２２０Ａには湯水混合弁２により混合された湯水が直接的に流入して流通する。吐止水弁３は吐出路２２０Ａを開閉する。排出部２３０は、吐出路２２０Ａから分岐する排出路２３０Ａが形成されている。排出路２３０Ａは、図示しない排出口と連通している。
【００７２】
切替部２４０は、排出路２３０Ａを開放した状態と閉塞した状態との切り替えを行う。切替部２４０は、図８に示すように、切替部本体２４１、弁体４２、バイアスばね４３、温度検出部としての感温ばね４４とを有して構成されている。切替部本体２４１は実施例１の切替部本体４１と同様に円筒状に形成されており、内部に収納空間２４１Ａを形成しており、内部に弁体４２、バイアスばね４３、及び感温ばね４４を収納している。参考例２では、収納空間２４１Ａは排出路２３０Ａを構成している。
【００７３】
図８に示すように、切替部本体２４１の軸方向の一方の端部には開口部４１Ｃが形成されており、他方の端部は閉塞されている。開口部４１Ｃは実施例１と同様に蓋部材４５によって閉塞されている。切替部本体２４１の周壁には２つの開口部４１Ｄ，４１Ｅが形成されている。開口部４１Ｄ，４１Ｅは、切替部本体２４１の軸方向に離間して形成されている。開口部４１Ｄ，４１Ｅのうち、開口部４１Ｄは、排出路２３０Ａを形成する収納空間２４１Ａの上流側開口であり、開口部４１Ｅは下流側開口である。
【００７４】
図８に示すように、弁体４２は、一方の端部側が拡径された円柱状に形成されている。弁体４２は、切替部本体２４１と略同軸となる形態で、軸方向に移動自在に収納空間２４１Ａに収納されている。弁体４２は、蓋部材４５の開口端に形成された弁座面４５Ａに当接することで排出路２３０Ａを閉塞した閉塞状態となり、弁座面４５Ａから離間することで排出路２３０Ａを開放した開放状態となる。
【００７５】
切替部２４０は、感温ばね４４により検出された湯水の温度が第３の設定温度Ｔ３以上である場合には排出路２３０Ａを閉塞状態にする。切替部２４０は、弁体４２に対して、バイアスばね４３及び感温ばね４４が互いに対向する方向の付勢力をそれぞれ付与している。上述のように、感温ばね４４は、温度変化に応じて付勢力の大きさが変化する。切替部２４０は、湯水が設定温度Ｔ３以上になったときには、感温ばね４４の付勢力が増大することによって、弁体４２を弁座面４５Ａに当接させた閉塞状態になる。弁体４２にはガイドロッド２４８の一端が連結されている。ガイドロッド２４８の他端は蓋部材４５を貫通して外側空間に突出しており、先端に切替操作部２４９が設けられている。
【００７６】
切替操作部２４９は、排出路２３０Ａを閉塞状態から開放状態に切り替える操作を行う。具体的には、参考例２の場合、ガイドロッド２４８を切替部本体２４１内に押し込むように切替操作部２４９を操作することにより、弁体４２が弁座面４５Ａから離間して排出路２３０Ａが開放された状態とされる。なお、参考例２の切替操作部２４９は、弁体４２が弁座面４５Ａから離間した排出路２３０Ａの開放状態において、ガイドロッド２４８を切替部本体２４１内から引き出すように操作することにより、弁体４２を弁座面４５Ａに当接させた排出路２３０Ａの閉塞状態にすることもできる。
【００７７】
切替部２４０において、弁座面４５Ａに当接した状態の弁体４２には、排出路２３０Ａの上流側からの水圧による力が閉弁方向に作用する。この水圧による力はバイアスばね４３の付勢力に抗して作用し、湯水の温度が設定温度Ｔ３未満の状態、すなわち、感温ばね４４の付勢力が十分に作用していない状態であっても、弁体４２を弁座面４５Ａに当接させた状態で保持させることができるようにされている。すなわち、切替部２４０は、排出路２３０Ａを閉塞した状態である弁体４２が弁座面４５Ａに当接した状態においては、湯水の温度に関わらず、切替操作部２４９の操作によってのみ、弁体４２を弁座面４５Ａから離間させることができる。
【００７８】
吐水装置２０１は、湯水混合弁２による湯水の設定温度である第１の設定温度Ｔ１と、切替部２４０による排出路２３０Ａの開閉状態の切り替えの基準温度である第３の設定温度Ｔ３との差ΔＴ３を２℃以上としている。
【００７９】
次に、上記のように構成された参考例２の吐水装置２０１の作用効果について説明する。
【００８０】
吐水装置２０１は、湯水を吐出する際には、まず、操作部５を操作して所望の温度を設定温度Ｔ１として設定する。この状態で、切替操作部２４９を操作すると、排出路２３０Ａが開放状態に切り替えられ、排出口から湯水が排出される。切替操作部２４９によって排出路２３０Ａを開放した状態において、切替部２４０は、湯水の温度が設定温度Ｔ３未満である場合には、排出路２３０Ａが開放された開放状態が維持される。これにより初期冷水が排出口から排出される。切替操作部２４９によって排出路２３０Ａを開放した状態において、切替部２４０は、湯水の温度が設定温度Ｔ３以上になった場合には、感温ばね４４の作用によって排出路２３０Ａが開放状態から閉塞状態に切り替えられる。詳細には、感温ばね４４は、温度変化に伴って付勢力の大きさが変化するＳＭＡばねである。このため、湯水の温度がＴ３以上になると、バイアスばね４３の付勢力等による弁体４２を開弁方向に移動させる力よりも感温ばね４４の付勢力等による弁体４２を閉弁方向に移動させる力が支配的になり、排出路２３０Ａが閉塞状態にされる。これにより、初期冷水が排出口から排出され、吐止水弁３の上流側まで温度Ｔ１の湯水が流下した状態とされる。その後、吐止水弁３を吐水操作することによって、シャワーヘッド４から所望の温度Ｔ１の湯水を吐出することができる。
【００８１】
吐水装置２０１の使用後、時間が経過して湯水の温度がＴ３よりも下回った場合、感温ばね４４の付勢力が温度低下に伴って低下するが、弁体４２に作用する水圧の力によって、弁体４２を弁座面４５Ａに当接させた状態が保持される。すなわち、吐水装置２０１では、閉塞状態にある排出路２３０Ａは、切替操作部２４９の操作を行わない限り開放状態に切り替わることはない。これにより、例えば、冷水シャワーを吐出する場合等、湯水混合弁２における設定温度Ｔ１が切替部２４０における設定温度Ｔ３よりも低く設定されている場合であっても、湯水が排出口から排出されてしまうことはない。
【００８２】
以上より、参考例２の吐水装置２０１は、湯水混合部としての湯水混合弁２と、操作部５と、吐出部２２０と、排出部２３０と、切替部２４０と、を備えている。湯水混合弁２は、給湯源から供給される湯と給水源から供給される水とを混合し、操作部５によって設定された第１の設定温度Ｔ１の湯水とする。吐出部２２０は、シャワーヘッド４に形成された吐出口としての複数の散水口と連通し、湯水混合弁２により混合された湯水が流通する吐出路２２０Ａが形成されている。開閉部としての吐止水弁３は、吐出路２２０Ａを開閉する。排出部２３０は、吐出路２２０Ａから分岐するとともに排出口と連通する排出路２３０Ａが形成されている。切替部２４０は、温度検出部としての感温ばね４４が検知した湯水の温度に基づいて排出路２３０Ａを開放した開放状態と閉塞した閉塞状態との切り替えを行うとともに、排出路２３０Ａが開放状態にある場合において感温ばね４４により検出された湯水の温度が第３の設定温度Ｔ３以上である場合には排出路２３０Ａを閉塞状態にする。そして、切替操作部２４９は、排出路２３０Ａを閉塞状態から開放状態に切り替える操作を行う。
【００８３】
このような構成により、参考例２の吐水装置２０１は、初期冷水や、切替部２４０の設定温度Ｔ３よりも低く設定された設定温度Ｔ１の湯水を、切替操作部２４９によって吐出口から意図的に吐出させるか否かを選択することができる。
【００８４】
吐水装置２０１は、温度検出部として、湯水の温度に応じて付勢力の大きさが変化する感温ばね４４を備えている。そして、切替部２４０は、感温ばね４４の付勢力の大きさの変化によって排出路２３０Ａを開放状態から閉塞状態に切り替える。このように、吐水装置２０１は、温度変化に応じた排出路２３０Ａの閉塞状態への切り替えを、簡易な構成により実現することができる。
【００８５】
吐水装置２０１は、排出路２３０Ａを吐出路２２０Ａから分岐させるにあたり、吐止水弁３よりも上流側で分岐させている。このため、吐止水弁３の操作の有無に関わらず、切替操作部２４９の操作によって排出口からの湯水の排出をすることができる。
【００８６】
吐水装置２０１は、湯水混合弁２による湯水の設定温度である第１の設定温度Ｔ１と、切替部２４０による排出路２３０Ａの開閉状態の切り替えの基準温度である第３の設定温度Ｔ３との差ΔＴ３が２℃以上である。このため、温度検出誤差等を許容しつつ、温度Ｔ１の湯水が排出口から排出されてしまうことを確実に防止して、吐出口であるシャワーヘッド４の散水口から確実に吐出することができる。
【００８７】
本発明は上記記述及び図面によって説明した実施例１に限定されるものではなく、例えば次のような実施例も本発明の技術的範囲に含まれる。
（１）実施例１では、吐水装置が、吐出口としての複数の散水口を有する手持ち式のシャワーヘッドから湯水を吐出する形態を例示したが、これは必須ではない。吐水装置は、例えば、オーバーヘッドシャワー等の固定式のシャワーヘッドから湯水を吐出する形態であってもよい。また、シャワーに限らず、打たせ湯、カラン等から湯水を吐出する形態であってもよい。
（２）実施例１では、流入路に湯水混合弁からの湯水が流入する形態を例示したが、給湯器等からの湯水が直接的に流入する形態であってもよい。
（３）実施例１では、吐出部がＬ字状に屈曲した形態を例示したが、これは必須ではない。吐出部は、直線状、湾曲等であってもよく、その形態は特に限定されない。
（４）実施例１では、排出部がＬ字状に屈曲した形態を例示したが、これは必須ではない。排出部は、直線状、湾曲等であってもよく、その形態は特に限定されない。
（５）実施例１では、切替部が、温度検出部としての感温ばねの温度変化による付勢力の変化によって連通状態を切り替える形態を例示したが、これは必須ではない。切替部は、例えば、温度センサと、この温度センサの検出信号に基づいて駆動するアクチュエータと、を有して連通状態を切り替える形態等の他の形態であってもよい。
（６）実施例１では、切替部が、第２の設定温度の設定操作を行うための操作部（予圧操作部）を有する形態を例示したが、これは必須ではない。切替部がこのような操作部を有する場合であっても、その構成等は上記実施例に限定されるものではない。また、切替部がこのような操作部を有する場合には、例えば、参考例１と同様に、湯水混合弁の設定温度（第１の設定温度）の変更操作と連動させる連動機構部を更に有する形態であってもよいし、参考例１と同様に、連動した状態と連動を解除した状態とを切り替え可能な解除部を更に有する形態であってもよい。
（７）実施例１では、特定構成の開閉部を備える形態を例示したが、本発明に係る開閉部は、連絡路を開閉する限り、その構成等は特に限定されない。
（８）実施例１では、第２エゼクタ部を備える形態を例示したが、本発明において第２エゼクタ部は必須の構成ではない。第２エゼクタ部を備える場合には、第２吸引口から吐出路外への流れのみを許容する逆止弁を設けるようにしてもよい。
（９）実施例１では、吐水装置に湯水を供給する供給源として湯水混合弁を例示し、この湯水混合弁に第１の設定温度の設定操作を行う操作部を設ける形態を例示したが、これは必須の構成ではない。この操作部としては、例えば、参考例１の操作部と同様に、第２の設定温度を連動させて設定するものであってもよい。すなわち、本発明の吐水装置は、
第１の設定温度の湯水となるように、給湯源から供給される湯と給水源から供給される水とを混合する湯水混合部（湯水混合弁）と、
前記第１の設定温度の設定操作を行う操作部と、
を更に備えており、
前記切替部は、前記温度検出部により検出された湯水の温度が第２の設定温度以上である場合には前記流入路と前記吐出路とを連通させた第１の連通状態に切り替え、前記温度検出部により検出された湯水の温度が第２の設定温度未満である場合には前記流入路と前記排出路とを連通させた第２の連通状態に切り替え、前記操作部は、前記第２の設定温度が前記第１の設定温度よりも低くなるように、前記第２の設定温度を前記第１の設定温度に連動させる形態であってもよい。
（１０）実施例１では、第２連絡路が排出路を介して排出口と連通している形態を例示したが、第２連絡路は、排出路を介さず、排出口に直接的に連通している形態であってもよい。
【００８８】
参考例１は、上記記述及び図面によって説明した形態に限定されるものではなく、例えば次のような形態も参考例１の技術的範囲に含まれる。
（１）参考例１では、吐水装置が、吐出口としての複数の散水口を有する手持ち式のシャワーヘッドから湯水を吐出する形態を例示したが、これは必須ではない。吐水装置は、例えば、オーバーヘッドシャワー等の固定式のシャワーヘッドから湯水を吐出する形態であってもよい。また、シャワーに限らず、打たせ湯、カラン等から湯水を吐出する形態であってもよい。
（２）参考例１では、切替部が、温度検出部としての感温ばねの温度変化による付勢力の変化によって連通状態を切り替える形態を例示したが、これは必須ではない。切替部は、例えば、温度センサと、この温度センサの検出信号に基づいて駆動するアクチュエータと、を有して連通状態を切り替える形態等の他の形態であってもよい。
（３）参考例１では、切替部が、第２の設定温度の変更操作を行うための操作部（予圧操作部）を有する形態を例示したが、これは必須ではない。切替部がこのような操作部を有する場合であっても、その構成等は上述した形態に限定されるものではない。
（４）参考例１では、吐水装置が解除部及び保持操作部を備える形態を例示したが、少なくとも一方を備えていない形態であってもよい。
（５）参考例１では、吐止水弁が切替部の下流側に配置されている形態を例示したが、切替部の上流側に配置されていてもよい。
（６）参考例１では、湯水混合弁による湯水の設定温度である第１の設定温度Ｔ１と、切替部４０による連通状態の切り替えの基準温度である第２の設定温度Ｔ２との差Δｔ１が２℃以上である形態を例示したが、これは必須ではない。設定温度Ｔ１と設定温度Ｔ２との差Δｔ１は、設定温度Ｔ２が設定温度Ｔ１よりも小さい限り特に限定されないが、例えば、２℃≦Δｔ１≦１０℃であることができ、好ましくは、２℃≦Δｔ１≦８℃、より好ましくは、２℃≦Δｔ１≦５℃である。
（７）参考例１の吐水装置は、実施例１と同様のエゼクタ部、開閉部、及び連絡部を備えた形態であってもよい。すなわち、参考例１の吐水装置は、
排出口と連通する排出路を形成するとともに前記排出路に開口する吸引口が形成されており、前記排出路を流通する湯水を駆動流体とする形態のエゼクタ機構を有するエゼクタ部と、
前記吐出路から分岐して形成されるとともに、一端が前記吸引口に接続されて前記排出路に連通する連絡路が形成された連絡部と、前記連絡路を開閉する開閉部と、
を更に備えていてもよい。
この場合、連絡部の吐出路からの分岐は、吐止水弁の上流側であってもよいが、吐止水弁の下流側であることが好ましい。
【００８９】
参考例２は、上記記述及び図面によって説明した形態に限定されるものではなく、例えば次のような形態も参考例２の技術的範囲に含まれる。
（１）参考例２では、吐水装置が、吐出口としての複数の散水口を有する手持ち式のシャワーヘッドから湯水を吐出する形態を例示したが、これは必須ではない。吐水装置は、例えば、オーバーヘッドシャワー等の固定式のシャワーヘッドから湯水を吐出する形態であってもよい。また、シャワーに限らず、打たせ湯、カラン等から湯水を吐出する形態であってもよい。
（２）参考例２では、排出路が吐出路から分岐している形態を例示したが、給湯源から湯水混合部に供給される湯が流通する給湯路で分岐していてもよい。このように、湯水混合部よりも上流側の給湯路から排出路を分岐させると、給湯路内の初期冷水のみが排出され、元々冷水である給水源からの水が排出されてしまうことがないので好ましい。
（３）参考例２では、切替部が、温度検出部としての感温ばねの温度変化による付勢力の変化によって排出路を開放した状態から閉塞した状態に切り替える形態を例示したが、これは必須ではない。切替部は、例えば、温度センサと、この温度センサの検出信号に基づいて駆動するアクチュエータと、を有して排出路を開放状態から閉塞状態に切り替える形態等の他の形態であってもよい。
（４）参考例２において、湯水混合部としての湯水混合弁は、操作部が切替部による排出路の開閉状態の切り替えが行われる設定温度（第３の設定温度）の変更操作と連動する形態であってもよい。この場合、第１の設定温度と第３の設定温度の設定操作が連動した状態と連動が解除された状態とを切り替え可能な形態であってもよい。
（５）参考例２において、切替部は、第３の設定温度の変更操作を行うための操作部を有する形態であってもよい。これにより、第３の設定温度を単独で自在に変更することができる。この場合、第３の設定温度の変更操作を行うための操作部は、例えば、参考例１の予圧操作部と同様の構成を有する形態であってもよいし、他の形態であってもよい。
（６）参考例２では、湯水混合弁による湯水の設定温度である第１の設定温度Ｔ１と、切替部による排出路の開閉状態の切り替えの基準温度である第３の設定温度Ｔ３との差Δｔ２が２℃以上である形態を例示したが、これは必須ではない。設定温度Ｔ１と設定温度Ｔ３との差Δｔ２は、設定温度Ｔ３が設定温度Ｔ１よりも小さい限り特に限定されないが、例えば、２℃≦Δｔ２≦１０℃であることができ、好ましくは、２℃≦Δｔ２≦８℃、より好ましくは、２℃≦Δｔ２≦５℃である。
【符号の説明】
【００９０】
１…吐水装置
１０…流入部
１０Ａ…流入路
２０…吐出部
２０Ａ…吐出路
３０…排出部
３０Ａ…排出路
４０…切替部
４２…弁体
４４…感温ばね（温度検出部）
５０…エゼクタ部
５０Ｂ…吸引口
６０…連絡部
６０Ａ…連絡路
７０…開閉部
７１…弁体部材
７１Ｄ…受圧面
７２…付勢部材
８０…第２エゼクタ部
８０Ｂ…第２吸引口
Ｔ１…第１の設定温度
Ｔ２…第２の設定温度
【図１】
2020130319.tif 000003
【図２】
2020130319.tif 000004
【図３】
2020130319.tif 000005
【図４】
2020130319.tif 000006
【図５】
2020130319.tif 000007
【図６】
2020130319.tif 000008
【図７】
2020130319.tif 000009
【図８】
2020130319.tif 000010